(57)【特許請求の範囲】
【請求項１】
帯状の合成樹脂シートに複数のホックを巾方向に並べて取り付け、更に横方向に同一状態にホックを一定間隔で取り付け、ブラジャーバンド取り付け側の一端にかんのん開きの開口部を形成し、前記ホックの各２つ目と３つ目の中間に一定巾２条の高周波接着したシール部を形成し、このシール部の中間をカットし、上下縁の端部を僅か残して柔らかい未シール部を形成したブラジャー用ホック付係止片。
【発明の詳細な説明】
【０００１】
【発明の属する技術分野】
本発明は、ブラジャーバンドの一端に取り付けるブラジャー用ホック付係止片に関する。
【０００２】
【従来の技術】
従来、ブラジャーバンド一端に取り付けるフック付係止片を成形する場合は、図１５に示す如く複数枚の薄い合成樹脂シートを重合した帯状のシート体１００巾方向に２個のホック１０１を一定間隔で取り付け、更に同一状態で横方向に一定間隔で取り付け、隣接する横方向ホック１０１の中間部を図１９の如く上下のホーン１１０，１１１でシールカットして、図１６の如くブラジャーバンドの一端に取り付けるホック付係止片１０３を成形していた。このホック付係止片１０３の両側は図１９の如くシールカットされ、このシールカット部１０２は溶着で硬くなっている。
ブラジャーバンド１０４に取り付ける時は、図１７の如くこの端部１０５をブラジャーバンド１０４の一端に縫着１０６して固定していた。
又、シールカットせず単にカットした場合は、図１８の如くホック付係止片１０７の取り付け部１０８及び上下縁部１０９をミシン縫いしていた。
【０００３】
【発明が解決しようとする課題】
上記従来技術の前者は、溶断部金型（ホーン）の摩耗によりカット不良（完全に分離されずつながっている）がしばしば発生し、又、硬いシールカット部が肌に当り肌に不快感を与えるという問題点があった。
後者はホック付係止片の取り付け部だけでなく上下縁も全部縫着しなければならないので手数を要するという問題点があった。
【０００４】
【課題を解決するための手段】
本発明は上記問題点を解決することを目的とし、帯状の合成樹脂シートに複数のホックを巾方向に並べて取り付け、更に横方向に同一状態にホックを一定間隔で取り付け、ブラジャーバンド取り付け側の一端にかんのん開きの開口部を形成し、前記ホックの各２つ目と３つ目の中間に一定巾２条の高周波接着したシール部を形成し、このシール部の中間をカットし、上下縁の端部を僅か残して柔らかい未シール部を形成したことを特徴とする。
【０００５】
【発明の実施の形態】
本発明の実施の形態を図１乃至図１４に示した一実施例に基づいて詳細に説明する。
１は複数枚のナイロンシートを重合した帯状シートで、巾方向に一定間隔で２個のホック２を並べて配設し、横方向に同一状態のホックを一定間隔で配設し、ミシン縫い部３，４で一体に取り付けてある。そして下方は図２に示す如く、かんのん開きできるように開口部５が形成されている。７は帯状シート体６を間歇移送するスプロケット、８は押圧ロール、９はパルスモータである。１０はホックが正しく取り付けられているかどうか検出するセンサー、１７はシール装置、１２は図６乃至図８に示す如くシール位置で開口部５に挿入される紙テープ等の非溶着セパレータで、耐熱性で溶けたナイロンが付着しない材質で出来ている。１３は搬送ローラ、１４はガイド、１５はガイドレールである。
図９、図１０は他の実施例で、セパレータ１６はＡ部に固定されていて帯状シート体６の間に入った状態で帯状シート体６のみ移動するようになっていてもよい。
シール装置１７の先端金型（ホーン）を交換することによりシールの形状を変えることができる。
【０００６】
次に作用について説明する。
帯状シート体６をスプロケット７と押圧ロール８で挾着し、パルスモータ９で間歇移送する。ホックが装着されているかどうかをセンサー１０で検知する。１２は帯状シート体６の開口部５に挿入される紙テープ等の非溶着セパレータである。次いで、シール装置１７により横方向のホック２の２つ目と３つ目の中間をカム２２を作動して一定巾２条にシールする。次いで、このシール部２０，２１の中間をカム３１を作動してカッター装置２３でカットする。カットして成形されたホック付係止片２４は良品・不良品自動選別装置２５に落下する。該装置はロータリーソレノイド２６の軸に摺動板２７を固着し、常時はスプリング２８により摺動板２７を左方向に傾動し、良品を良品収納箱２９に収納する。前記センサー１０が不良品を検知した時は落下のタイミングに合せてロータリーソレノイド２６が作動し摺動板２７を点線の如く右側へ傾動し、不良品を不良品収納箱３０に収納する。
このようにして成形されたホック付係止片２４は図１３に示す如く、シール部２０，２１の外側部２０ａ，２１ａは未シール部で柔らかく、一端開口部５は非溶着セパレータ１２が挟まれているのでシールされず、かんのん開きのまゝになっている。
前記した成形方法は一実施例であり、本発明はこの方法に限定されるものではなく、上記のようなホック付係止片であればどのような手段で成形してもよい。
【０００７】
【発明の効果】
本発明によると、帯状の合成樹脂シートに複数のホックを巾方向に並べて取り付け、更に横方向に同一状態にホックを一定間隔で取り付け、ブラジャーバンド取り付け側の一端にかんのん開きの開口部を形成し、前記ホックの各２つ目と３つ目の中間に一定巾２条の高周波接着したシール部を形成し、このシール部の中間をカットし、上下縁の端部を僅か残して柔らかい未シール部を形成してあるので、ホック付係止片の上下両縁のシール部外側部は未シール部なので柔軟になっており肌に不快感を与えることはない。
また、端部はかんのん開きになっており、ブラジャーバンド端に挾着できるので取り付け易く、ほつれが少ないので上下縁のかがり縫いの必要がなく、取り付け部のみミシン縫いすればよいので作業性がよく量産に適している。
【図面の簡単な説明】
【図１】  本発明成形用帯状シート平面図である。
【図２】  図１のＡ−Ａ側断面図である。
【図３】  本発明に用いる装置の概略正面図である。
【図４】  図３のスプロケット移送部平面図である。
【図５】  図３のセンサ部側面図である。
【図６】  紙テープ状のセパレータ挿入部の平面図である。
【図７】  図６のＡ部側面図である。
【図８】  図６のＢ部側面図である。
【図９】  固定式セパレータ部の平面図である。
【図１０】  図９の側面図である。
【図１１】  図３の良品、不良品自動選別機側面図である。
【図１２】  帯状シート体のシール部及びカット部を示す平面図である。
【図１３】  本発明のホック付係止片平面図である。
【図１４】  図１３のＡ−Ａ側断面図である。
【図１５】  従来品成形用帯状シートのシールカット説明図である。
【図１６】  従来のホック付係止片第１例平面図である。
【図１７】  図１６のホック付係止片をブラジャーバンドに取り付けた平面図である。
【図１８】  従来のホック付係止片第２例をブラジャーバンドに取り付けた時の平面図である。
【図１９】  従来のシールカット部正断面図である。
【符号の説明】
１    帯状シート
２    ホック
５    かんのん開き開口部
６    帯状シート体
２０，２１    シール部
２０ａ，２１ａ    シール外側の未シール部
【図１】
0003805016.tif 000002
【図２】
0003805016.tif 000003
【図３】
0003805016.tif 000004
【図４】
0003805016.tif 000005
【図５】
0003805016.tif 000006
【図６】
0003805016.tif 000007
【図７】
0003805016.tif 000008
【図８】
0003805016.tif 000009
【図９】
0003805016.tif 000010
【図１０】
0003805016.tif 000011
【図１１】
0003805016.tif 000012
【図１２】
0003805016.tif 000013
【図１３】
0003805016.tif 000014
【図１４】
0003805016.tif 000015
【図１５】
0003805016.tif 000016
【図１６】
0003805016.tif 000017
【図１７】
0003805016.tif 000018
【図１８】
0003805016.tif 000019
【図１９】
0003805016.tif 000020